(57)【要約】      （修正有）【課題】複数の宛先指定が可能なワンタッチキーを備え、その宛先の切替に切替板を用いるファクシミリ装置の宛先指定用操作パネルにおいて、宛先指定作業が簡単であり、誤送信を低減させる宛先指定用操作パネル。【解決手段】装置本体と、前記装置本体の外板に設けられ、前記外板に平行な回転軸を有する複数の回転板と、前記装置本体に支持され、前記複数の回転板の少なくとも一つの回転を検出する回転検出部と、前記装置本体に支持され、前記複数の回転板の各々の配置を検出する配置検出部とを備える宛先指定用操作パネルを使用する。その宛先指定用操作パネルの複数の回転板の各々は、第１の状態と、前記第１の状態から概ね９０度回転した第２の状態と、前記第１の状態から概ね１８０度回転した第３の状態を有し、前記回転検出部は、前記複数の回転板の少なくとも一つが回転したとき、前記回転を検出し、前記検出に応答して配置信号を出力する。【選択図】図１
2005217793.tif 000002
【特許請求の範囲】
【請求項１】
装置本体と、
前記装置本体の外板に設けられ、前記外板に平行な回転軸を有する複数の回転板と、
前記装置本体に支持され、前記複数の回転板の少なくとも一つの回転を検出する回転検出部と、
前記装置本体に支持され、前記複数の回転板の各々の配置を検出する配置検出部と、
を含み、
前記複数の回転板の各々は、第１の状態と、前記第１の状態から概ね９０度回転した第２の状態と、前記第１の状態から概ね１８０度回転した第３の状態を有し、
前記回転検出部は、前記複数の回転版の少なくとも一つが回転したとき、前記回転を検出し、前記検出に応答して回転信号を出力し、
前記配置検出部は、前記複数の回転板の各々の配置を検出し、前記検出に応答して配置信号を出力する
ファクシミリ装置。
【請求項２】
請求項１のファクシミリ装置において、
前記配置検出部は、前記複数の回転板の少なくとも一つが前記第１の状態から前記第３の状態に回転したとき、前記回転に応答して前記複数の回転板の各々の配置を再検出し、前記再検出に応答して、他の配置信号を出力する
ファクシミリ装置。
【請求項３】
請求項２に記載のファクシミリ装置において、
前記回転検出部は、前記複数の回転板の少なくとも一つが前記第１の状態から前記第２の状態に回転したときに、前記回転を検出し、前記検出に応答して第１回転信号を出力し、前記第２の状態から前記第３の状態に回転したときに、前記回転を検出し、前記検出に応答して第２回転信号を出力する
ファクシミリ装置。
【請求項４】
請求項３に記載のファクシミリ装置において、
前記装置はさらに、情報処理部を含み、
前記情報処理部は、前記第１回転信号を入力され、前記入力された第１回転信号に基づいて前記他の配置信号が出力されることを予測し、
前記第２回転信号の入力に応答して、前記予測した他の配置信号と、前記配置検出部から出力された前記他の配置信号を比較する
ファクシミリ装置。
【請求項５】
請求項４に記載のファクシミリ装置において、
前記情報処理部は、前記比較の結果、前記予測した他の配置信号と前記配置検出部から出力された前記他の配置信号とが合致しなかった場合、非合致信号を出力する
ファクシミリ装置。
【請求項６】
請求５に記載のファクシミリ装置において、
前記装置はさらに、記憶部を含み、
前記記憶部は、前記配置信号を入力され、前記入力された配置信号基づいて、前記複数の回転板の各々の配置を示す配置情報を記憶する
ファクシミリ装置
【請求項７】
請求項６に記載のファクシミリ装置において、
前記記憶部は、前記他の配置信号を入力され、前記入力された他の配置信号に基づいて、前記記憶した配置情報を更新する
ファクシミリ装置。
【請求項８】
請求項５または６に記載のファクシミリ装置において、
前記装置はさらに、操作部を含み
前記操作部は、前記装置を動作させるための命令を出力し、
前記配置検出部は、前記命令に応答して前記複数の回転板の各々の配置を再検出し、前記再検出に応答して新たな配置信号を出力し
前記情報処理部は、前記新たな配置信号を入力され、前記入力に応答して前記配置情報を検索し、前記配置情報と前記新たな配置信号とを比較する
ファクシミリ装置。
【請求項９】
請求項８に記載のファクシミリ装置において、
前記情報処理部は、前記比較の結果、前記配置情報と前記新たな配置信号とが合致しなかった場合、非合致信号を出力する
ファクシミリ装置。
【請求項１０】
請求項１乃至９の何れか1項に記載のファクシミリ装置において、
前記回転検出部は、前記第3の状態まで回転した前記複数の回転板の各々を、新たな第1の状態とする
ファクシミリ装置。
【請求項１１】
装置本体と、
前記装置本体の外板に設けられ、前記外板に平行な回転軸を有する複数の回転板と、
前記装置本体に支持され、前記複数の回転板の少なくとも一つの回転を検出する回転検出部と、
前記装置本体に支持され、前記複数の回転板の各々の配置を検出する配置検出部と、
を含み、
前記複数の回転板の各々は、第１の状態と、前記第１の状態から９０度回転した第２の状態と、前記第１の状態から１８０度回転した第３の状態を有する
ファクシミリ装置を動作させる方法を具備するプログラムであって、
前記複数の回転版の少なくとも一つが前記第１の状態から前記第３の状態に回転したとき、前記回転を検出するステップと、
前記検出に応答して回転信号を出力するステップと、
前記配置検出部は、前記複数の回転板の各々の配置を検出するステップと、
前記検出に応答して配置信号を出力するステップと
を具備する方法をコンピュータで実行可能なプログラム。
【請求項１２】
請求項１１のプログラムにおいて、
前記複数の回転板の少なくとも一つが前記第１の状態から前記第３の状態に回転したとき、前記回転に応答して前記複数の回転板の各々の配置の再検出をするステップと、
前記再検出に応答して、他の配置信号を出力するステップ
を具備する方法をコンピュータで実行可能なプログラム。
【請求項１３】
請求項１２に記載のプログラムにおいて、
前記複数の回転板の少なくとも一つが前記第１の状態から前記第２の状態に第１回転したときに、前記第１回転を検出するステップと、
前記検出に応答して第１回転信号を出力するステップと、
前記第２の状態から前記第３の状態に第２回転したときに、前記第２回転を検出するステップと、
前記検出に応答して第２回転信号を出力するステップ
を具備する方法をコンピュータで実行可能なプログラム。
【請求項１４】
請求項１３に記載のプログラムにおいて、
前記装置はさらに、情報処理部を含み、
前記情報処理部に、前記第１回転信号を入力されるステップ
前記入力された第１回転信号に基づいて前記他の配置信号が出力されることを予測するステップと、
前記第２回転信号の入力に応答して、前記予測した他の配置信号と、前記配置検出部から出力された前記他の配置信号とを比較するステップ
を具備する方法をコンピュータで実行可能なプログラム。
【請求項１５】
請求項１４に記載のプログラムにおいて、
前記比較の結果、前記予測された他の配置信号と前記配置検出部から出力された前記他の配置信号とが合致しなかった場合、非合致信号を出力するステップ
を具備する方法をコンピュータで実行可能なプログラム。
【請求項１６】
請求１５に記載のプログラムにおいて、
前記装置はさらに、記憶部を含み、
前記記憶部に、前記配置信号を入力されるステップと、
前記入力された配置信号基づいて、前記複数の回転板の各々の配置を示す配置情報を記憶するステップ
を具備する方法をコンピュータで実行可能なプログラム。
【請求項１７】
請求項１６に記載のプログラムにおいて、
前記記憶部に、前記他の配置信号を入力されるステップと、
前記入力された他の配置信号に基づいて、前記記憶した配置情報を更新するステップ
を具備する方法をコンピュータで実行可能なプログラム。
【請求項１８】
請求項１６または１７に記載のプログラムにおいて、
前記装置を動作させるための命令を出力するステップと、
前記命令に応答して前記複数の回転板の各々の配置を再検出するステップと、
前記再検出に応答して新たな配置信号を出力するステップと、
前記情報処理部に、前記新たな配置信号を入力されるステップと、
前記入力に応答して前記配置情報を検索するステップと、
前記配置情報と前記新たな配置信号とを比較するステップ
を具備する方法をコンピュータで実行可能なプログラム。
【請求項１９】
請求項１８に記載のプログラムにおいて、
前記比較の結果、前記配置情報と前記新たな配置信号とが合致しなかった場合、非合致信号を出力するステップ
を具備する方法をコンピュータで実行可能なプログラム。
【請求項２０】
請求項１１乃至１９の何れか1項に記載のプログラムにおいて、
前記第3の状態まで回転した前記複数の回転板の各々を、新たな第1の状態とするステップ
を具備する方法をコンピュータで実行可能なプログラム。
【発明の詳細な説明】
【技術分野】
【０００１】
本発明は、ファクシミリ装置に用いられる宛先指定操作パネルに関する。
【背景技術】
【０００２】
従来市場に流通してるファクシミリ装置において、宛先を指定する作業の作業効率を上げるために、操作パネルに宛先指定用のワンタッチキーを備え、そのワンタッチキーの各々に、送信する可能性のある宛先を予め登録しておき、そのワンタッチキーを押すことで宛先の指定が完了する操作パネルを備えたファクシミリ装置の技術が知られている。さらに、そのようなワンタッチキーの近傍に切替板を備え、一つのワンタッチキーに複数の宛先を指定できるようにしておき、一つのワンタッチキーに複数の宛先を指定した場合、その切替板をめくることにより、その複数の宛先の切替を行う技術が知られている。
【０００３】
このような複数の宛先を指定されたワンタッチキーの宛先の切替動作に切替板を利用する装置は、切替板がどのような状態に配置されているのかを検出する検出スイッチを有している。検出スイッチは切替板１枚に一つ割当てれば、その配置の検出が可能である。切替板１枚に一つの検出スイッチを割当て、その配置を検出する方法は、構造が簡単で、製作コストがかからない反面、その一つの検出スイッチが不具合を起こしてしまうと、適切な送信が実行できなくなる可能性を含んでいる。
【０００４】
より適切な送信を行うためには、切替板の配置の検出を厳重にする必要がある。切替板の配置の検出を厳重にする方法として、従来、１枚の切替板に複数の検出スイッチを割当てる方法が用いられている（例えば、特許文献１参照。）。この方法により、切替板の配置を検出する検出精度が向上し、送信先の適切な決定が可能になった。
【０００５】
上述の検出スイッチのような精密部品の不具合を皆無にすることは不可能である。検出スイッチ一つの不具合であったとしても、その装置の使用者にとってはその装置全体の不具合に相違無く、それゆえ、検出スイッチを切替板毎に複数設置する場合、その検出スイッチの設置数に比例して不具合の発生率も上昇してしまい、装置の利用者に不快な思いをさせていた。
【０００６】
情報送信先の宛先指定作業が簡単でありながら、誤送信を低減させるファクシミリ装置の宛先指定用操作パネルが望まれる。
【０００７】
さらに、部品点数の少ない構造でありながら、切替板の配置の検出精度が高いファクシミリ装置の宛先指定用操作パネルが望まれる。
【０００８】
【特許文献１】特開２００３−８６９６４号公報
【発明の開示】
【発明が解決しようとする課題】
【０００９】
本発明が解決しようとする課題は、複数の宛先指定が可能なワンタッチキーを備え、その宛先の選択動作に切替板を用いるファクシミリ装置において、宛先指定作業が簡単でありながら、誤送信を低減させる宛先指定用操作パネルを提供することにある。
【００１０】
さらに、本発明が解決しようとする他の課題は、そのファクシミリ装置の宛先指定用操作パネルにおいて、部品点数の少ない構造でありながら、切替板の配置の検出精度が高い宛先指定用操作パネルを提供することにある。
【課題を解決するための手段】
【００１１】
以下に、［発明を実施するための最良の形態］で使用される番号を用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【００１２】
宛先切替に回転可能な切替板を用いるファクシミリ装置において、装置本体と、前記装置本体の外板に設けられ、前記外板に平行な回転軸（１２）を有する複数の回転板（１、２）と、前記装置本体に支持され、前記複数の回転板（１、２）の少なくとも一つの回転を検出する回転検出部（４）と、前記装置本体に支持され、前記複数の回転板（１、２）の各々の配置を検出する配置検出部（３）とを含み、前記複数の回転板（１、２）の各々は、第１の状態と、前記第１の状態から概ね９０度回転した第２の状態と、前記第１の状態から概ね１８０度回転した第３の状態を有し、前記回転検出部（４）は、前記複数の回転板（１、２）の少なくとも一つが回転したとき、前記回転を検出し、前記検出に応答して回転信号を出力し、前記配置検出部（３）は、前記複数の回転板（１、２）の各々の配置を検出し、前記検出に応答して配置信号を出力する。
【００１３】
そのファクシミリ装置において、前記配置検出部（３）は、前記複数の回転板（１、２）の少なくとも一つが前記第１の状態から前記第３の状態に回転したとき、前記回転に応答して前記複数の回転板（１、２）の各々の配置を再検出し、前記再検出に応答して、他の配置信号を出力する。
【００１４】
さらにそのファクシミリ装置において、前記回転検出部（４）は、前記複数の回転板（１、２）の少なくとも一つが前記第１の状態から前記第２の状態に回転したときに、前記回転を検出し、前記検出に応答して第１回転信号を出力し、前記第２の状態から前記第３の状態に回転したときに、前記回転を検出し、前記検出に応答して第２回転信号を出力する。
【００１５】
さらにそのファクシミリ装置において、前記装置はさらに、情報処理部を含み、
前記情報処理部は、前記第１回転信号を入力され、前記入力された第１回転信号に基づいて前記他の配置信号が出力されることを予測し、前記第２回転信号の入力に応答して、前記予測した他の配置信号と、前記配置検出部（３）から出力された前記他の配置信号を比較する。
【００１６】
さらにそのファクシミリ装置において、前記情報処理部は、前記比較の結果、前記予測した他の配置信号と前記配置検出部（３）から出力された前記他の配置信号とが合致しなかった場合、非合致信号を出力する。
【００１７】
さらにそのファクシミリ装置において、前記装置はさらに、記憶部を含み、
前記記憶部は、前記配置信号を入力され、前記入力された配置信号基づいて、前記複数の回転板（１、２）の各々の配置を示す配置情報を記憶する。
【００１８】
さらにそのファクシミリ装置において、前記記憶部は、前記他の配置信号を入力され、前記入力された他の配置信号に基づいて、前記記憶した配置情報を更新する。
【００１９】
さらにそのファクシミリ装置において、前記装置はさらに、操作部を含み
前記操作部は、前記装置を動作させるための命令を出力し、前記配置検出部（３）は、前記命令に応答して前記複数の回転板（１、２）の各々の配置を再検出し、前記再検出に応答して新たな配置信号を出力し、前記情報処理部は、前記新たな配置信号を入力され、前記入力に応答して前記配置情報を検索し、前記配置情報と前記新たな配置信号とを比較する。
【００２０】
さらにそのファクシミリ装置において、前記情報処理部は、前記比較の結果、前記配置情報と前記新たな配置信号とが合致しなかった場合、非合致信号を出力する。
【００２１】
さらにそのファクシミリ装置において、前記回転検出部（４）は、前記第3の状態まで回転した前記複数の回転板（１、２）の各々を、新たな第1の状態とする。
【００２２】
装置本体と、前記装置本体の外板に設けられ、前記外板に平行な回転軸（１２）を有する複数の回転板（１、２）と、前記装置本体に支持され、前記複数の回転板（１、２）の少なくとも一つの回転を検出する回転検出部（４）と、前記装置本体に支持され、前記複数の回転板（１、２）の各々の配置を検出する配置検出部（３）とを含み、前記複数の回転板（１、２）の各々は、第１の状態と、前記第１の状態から９０度回転した第２の状態と、前記第１の状態から１８０度回転した第３の状態を有するファクシミリ装置を、
前記複数の回転板（１、２）の少なくとも一つが前記第１の状態から前記第３の状態に回転したとき、前記回転を検出するステップと、
前記検出に応答して回転信号を出力するステップと、
前記配置検出部（３）は、前記複数の回転板（１、２）の各々の配置を検出するステップと、
前記検出に応答して配置信号を出力するステップ
を具備する方法を実行可能なコンピュータプログラムを用いて動作させる。
【００２３】
さらにそのファクシミリ装置を、
前記複数の回転板（１、２）の少なくとも一つが前記第１の状態から前記第３の状態に回転したとき、前記回転に応答して前記複数の回転板（１、２）の各々の配置の再検出をするステップと、
前記再検出に応答して、他の配置信号を出力するステップ
を具備する方法を実行可能なコンピュータプログラムを用いて動作させる。
【００２４】
さらにそのファクシミリ装置を、
前記複数の回転板（１、２）の少なくとも一つが前記第１の状態から前記第２の状態に第１回転したときに、前記第１回転を検出するステップと、
前記検出に応答して第１回転信号を出力するステップと、
前記第２の状態から前記第３の状態に第２回転したときに、前記第２回転を検出するステップと、
前記検出に応答して第２回転信号を出力するステップ
を具備する方法を実行可能なコンピュータプログラムを用いて動作させる。
【００２５】
さらにそのファクシミリ装置に、情報処理部を備え、
前記情報処理部に、前記第１回転信号を入力されるステップと、
前記入力された第１回転信号に基づいて前記他の配置信号が出力されることを予測するステップと、
前記第２回転信号の入力に応答して、前記予測した他の配置信号と、前記配置検出部（３）から出力された前記他の配置信号とを比較するステップ
を具備する方法をコンピュータで実行可能なプログラム。
【００２６】
さらにそのファクシミリ装置を、
前記比較の結果、前記予測された他の配置信号と前記配置検出部（３）から出力された前記他の配置信号とが合致しなかった場合、非合致信号を出力するステップを具備する方法を実行可能なコンピュータプログラムを用いて動作させる。
【００２７】
さらにそのファクシミリ装置に記憶部を備え、
前記記憶部に、前記配置信号を入力されるステップと、
前記入力された配置信号基づいて、前記複数の回転板（１、２）の各々の配置を示す配置情報を記憶するステップ
を具備する方法を実行可能なコンピュータプログラムを用いて動作させる。
【００２８】
さらにそのファクシミリ装置を、
前記記憶部に、前記他の配置信号を入力されるステップと、
前記入力された他の配置信号に基づいて、前記記憶した配置情報を更新するステップ
を具備する方法を実行可能なコンピュータプログラムを用いて動作させる。
【００２９】
さらにそのファクシミリ装置を、
前記装置を動作させるための命令を出力するステップと、
前記命令に応答して前記複数の回転板（１、２）の各々の配置を再検出するステップと、
前記再検出に応答して新たな配置信号を出力するステップと、
前記情報処理部に、前記新たな配置信号を入力されるステップと、
前記入力に応答して前記配置情報を検索するステップと、
前記配置情報と前記新たな配置信号とを比較するステップ
を具備する方法を実行可能なコンピュータプログラムを用いて動作させる。
【００３０】
さらにそのファクシミリ装置を、
前記比較の結果、前記配置情報と前記新たな配置信号とが合致しなかった場合、非合致信号を出力するステップを具備する方法を実行可能なコンピュータプログラムを用いて動作させる。
【００３１】
さらにそのファクシミリ装置を、
前記第3の状態まで回転した前記複数の回転板（１、２）の各々を、新たな第1の状態とするステップを具備する方法を実行可能なコンピュータプログラムを用いて動作させる。
【発明の効果】
【００３２】
本発明によると、複数の宛先指定が可能なワンタッチキーを備え、その宛先の切替に切替板を用いるファクシミリ装置の宛先指定用操作パネルにおいて、宛先指定作業が簡単でありながら、誤送信を低減させる効果がある。
【００３３】
さらに、本発明は、そのファクシミリ装置の宛先指定用操作パネルにおいて、部品点数の少ない構造でありながら、切替板の配置の検出精度が高い宛先指定用操作パネルを提供できる効果がある。
【発明を実施するための最良の形態】
【００３４】
以下に、図面を用いて本発明を実施するための最良の形態について述べる。以下に述べる実施の形態では、指定する宛先を記入した宛先画面の切替を行う回転可能なフラップパネル（切替板）を２枚備えた宛先指定操作パネルを例に述べるが、これは本発明による宛先指定操作パネルのフラップパネル（切替板）の枚数を限定するものではない。
【００３５】
（実施の構成）
図１は、本実施の形態におけるファクシミリ装置の操作パネルの構成を示すブロック図である。図１を参照すると、本実施の形態におけるファクシミリ装置の操作パネルは、第１フラップパネル１と、第２フラップパネル２と、宛先画面検出手段３と、画面遷移検出手段４と、制御部５と、表示部６とで構成される。
【００３６】
宛先画面検出手段３はさらに、第１フラップパネル検出スイッチ７と、第２フラップパネル検出スイッチ８とで構成され、画面遷移検出手段４はさらに、第１フラップパネル回転子９と、第２フラップパネル回転子１０と、回転子検出スイッチ１１とで構成される。
【００３７】
第１フラップパネル１は、送信文書の送信先を決定するワンタッチキーの近傍に設置され、そのワンタッチキーを用いた宛先指定時に使用されるワンタッチキー毎の宛先情報を備える。利用者は、その宛先情報を用いて送信時に指定する宛先決定する。第２フラップパネル２は、第１フラップパネル１と同様に、送信先を決定するワンタッチキーに近傍に設置され、そのワンタッチキーを用いた宛先指定時に使用されるワンタッチキー毎の宛先情報を備える。利用者は、その宛先情報を用いて送信時に指定する宛先を決定する。
【００３８】
宛先画面検出手段３は、装置本体に内蔵され、装置本体の外板に配置された第１フラップパネル１と第２フラップパネル２の配置状態を検出する。配置状態を検出した宛先画面検出手段３は、検出した配置状態を宛先画面信号として出力する。
【００３９】
本実施の形態で述べる宛先画面検出手段３は、第１フラップパネル１を検出するために、第１フラップパネル検出スイッチ７を備え、第２フラップパネル２を検出するために、第２フラップパネル検出スイッチ８を備え、各々のフラップパネル検出スイッチはそれぞれ独立して対応するフラップパネルを検出する。
【００４０】
画面遷移検出手段４は、装置本体に内蔵され、第１フラップパネル１と第２フラップパネル２の回転を検出する。回転を検出した画面遷移検出手段４は、検出した回転を画面遷移信号をとして出力する。
【００４１】
本実施の形態で述べる画面遷移検出手段４は、第１フラップパネル回転子９と、第２フラップパネル回転子１０と、回転子検出スイッチ１１を備える。第１フラップパネル回転子９は、第１フラップパネル１に接続され、第２フラップパネル回転子１０は、第２フラップパネル２に接続される。第１フラップパネル回転子９は接続された第１フラップパネル１の回転に連動して回転し、第２フラップパネル回転子１０は接続された第２フラップパネル２の回転に連動して回転し、各々の回転子は互いに独立して回転する。回転子検出スイッチ１１は、第１フラップパネル回転子９または第２フラップパネル回転子１０の回転に応答して、第１フラップパネル１または第２フラップパネル２の回転が発生したことを検出する。
【００４２】
制御部５は、ＣＰＵ（中央演算処理装置）とメモリ（記憶装置）徒で構成され、宛先画面検出手段３から出力された宛先画面信号と、画面遷移検出手段４から出力された画面遷移信号とを入力し、入力した宛先画面信号に基づいて各々のフラップパネルがどのように配置されているかを特定し、宛先画面情報として記憶する。また、宛先画面検出手段３から出力された宛先画面信号と、既に記憶している宛先画面情報とを比較し、比較結果を出力する。
【００４３】
表示部６は、制御部５が出力した情報を装置の利用者に伝達する為のものである。本実施の形態では、液晶表示ユニットを例に取り述べる。
【００４４】
図２は、本実施の形態におけるファクシミリ装置の操作パネルの構造を示す投影図である。図２を参照すると、第１フラップパネル１と第２フラップパネル２は、装置本体の外板に設置され、その外板に概ね平行な同一の回転軸１２を端部に有し、その回転軸１２に対し互いに独立して回転する。
【００４５】
第１フラップパネル１と第２フラップパネル２との配置は、回転軸１２を境界線に対向した状態（図２の状態）と、第１フラップパネル１に第２フラップパネル２が重なった状態（図示せず。）と、第２フラップパネル２に第１フラップパネル１が重なった状態（図示せず。）との３通りの配置をとる。各々のワンタッチキーは、フラップパネルの各々の配置で異なった宛先を登録することが可能なので、本実施の形態における操作パネルは、一つのワンタッチキーに３つの宛先を登録することができる。
【００４６】
宛先画面検出手段３は装置本体に内蔵され、各々のフラップパネルの配置を検出をする。本実施の形態で述べる宛先画面検出手段３を構成する各々の検出スイッチは、対応するフラップパネルからの押圧力を感知し各々のフラップパネルの配置を検出する。第１フラップパネル検出スイッチ７と第２フラップパネル検出スイッチ８は、第１フラップパネル１と第２フラップパネル２とが、回転軸１２を境界線に対向した状態（図２の状態）で配置されたときに、その対応するフラップパネルを検出するように設置される。
【００４７】
画面遷移検出手段４は、回転子検出スイッチ１１と、第１フラップパネル回転子９と、第２フラップパネル回転子１０とで構成され、装置本体に内蔵される。
【００４８】
回転子検出スイッチ１１は、光の遮断を検知するフォトカプラを用いて形成される。図２を参照すると、回転子検出スイッチ１１は回転軸１２と平行な方向に光を発する発光部（図示せず）と、その発光部が発した光を受光する受光部（図示せず）とで構成され、その発光部と受光部との間に、回転子が通過する間隙を有する。各々の回転子は、スリットの入った薄い円盤形状を形成し、その中心は回転軸１２に重なるように形成する。さらに各々の回転子は回転軸１２に垂直に接続され、回転子検出スイッチ１１の発光部と受光部との間隙を回転軸１２に回転する。
【００４９】
図３は画面遷移検出手段４を回転軸方向から見た図である。図３を用いて、フラップパネル回転時の動作と、それに連動する回転子の動作と、回転子検出スイッチ１１について述べる。ここでは、第２フラップパネル２と第２フラップパネル回転子１０は、第１フラップパネル１と第１フラップパネル回転子９との説明と同様なので説明を省略する。
【００５０】
図３を参照すると、第1の状態（状態１）では第１フラップパネル１は装置本体の外板（図示せず）に接するように配置される。回転子検出スイッチ１１の発光部は、回転軸方向に光を発しているので、第1の状態（状態１）において第１フラップパネル回転子９は回転子検出スイッチ１１の発光部が発する光を遮断していない。次に、第１フラップパネル１が第２の状態（状態２）まで回転する。第２の状態（状態２）において、第１フラップパネル回転子９は回転子検出スイッチ１１の受光部が発する光を遮断する。さらに、第１フラップパネル１が第３の状態（状態３）まで回転する。第３の状態（状態３）において、第１フラップパネル回転子９のスリットが、回転子検出スイッチ１１の発光部と受光部との間隙にくることで光の遮断は途絶え、受光部は受光を開始する。
【００５１】
図４は、図３における第１フラップパネル１が第1の状態（状態１）から第３の状態（状態３）まで回転した場合の、回転子検出スイッチ１１が出力する回転子検出スイッチ信号の論理の流れを示す図である。図４を参照すると、第1の状態（状態１）において、第１フラップパネル回転子９のスリット部分は、回転子検出スイッチ１１の発光部が発する光を遮断していない。そのため回転子検出スイッチ１１の受光部は、発光部が発する光を受光し、回転子検出スイッチ１１はＯＮ状態になる。第２の状態（状態２）において、第１フラップパネル回転子９の円盤部分が発光部と受光部の間隙にくることで第１フラップパネル回転子９は回転子検出スイッチ１１の受光部が発する光を遮断する。そのため回転子検出スイッチ１１の受光部は、発光部が発する光を受光できずＯＦＦ状態になる。第３の状態（状態３）において、第１フラップパネル回転子９のスリットが、回転子検出スイッチ１１の発光部と受光部との間隙にくることで光の遮断は途絶え、受光部は再び受光を開始する。そのため回転子検出スイッチ１１の受光部は、発光部が発する光を受光し、回転子検出スイッチ１１はＯＮ状態になる。
【００５２】
（実施の動作）
次に、本発明の実施の動作について述べる。
【００５３】
図５は、本実施の形態における操作パネルの、第１フラップパネル１または第２フラップパネル２の回転開始から操作パネルの不具合検出までを示すフローチャートである。図５を参照すると、本実施の形態における動作は、第１フラップパネル１または第２フラップパネル２が、第1の状態（状態１）から回転を始めることで開始する。
【００５４】
ステップＳ１０１において、画面遷移検出手段４は第１フラップパネル１または第２フラップパネル２の回転を一定間隔で常時監視する。監視に応答して画面遷移検出手段４が検出した第１フラップパネル１または第２フラップパネル２の回転は、画面遷移信号として制御部５へ出力され、ステップＳ１０３へ進む。
【００５５】
ステップＳ１０３において、また、画面遷移検出手段４から出力された画面遷移信号の論理がＯＮになったかどうかの判断を行う。論理がＯＮであった場合、つまり少なくとも１枚のフラップパネルが回転を開始した場合、ステップＳ１１７へ進む。論理がＯＦＦであった場合、つまりフラップパネルが回転を開始していない場合、ステップＳ１０５へ進む。
【００５６】
ステップＳ１０５において、画面遷移検出手段４から出力された画面遷移信号の論理がＯＦＦであった場合、制御部５は、画面遷移信号に応答して宛先画面検出手段３に各々のフラップパネルの配置の検出を指示する。その指示を受けた宛先画面検出手段３は、各々のフラップパネルの配置を検出し、検出した各々のフラップパネルの配置を宛先画面信号として制御部５に出力し、ステップＳ１０７へ進む。
【００５７】
ステップＳ１０７において、制御部５は、メモリに記憶された宛先画面情報の読み出しを行いステップＳ１０９に進む。
【００５８】
ステップＳ１０９において、制御部５は、読み出した宛先画面情報に基づいて、これまで配置されていた各々のフラップパネルの配置を特定し、さらに、制御部５は、その特定した各々のフラップパネルの配置から、今回発生したフラップパネルの回転に対応して、宛先画面検出手段３から出力されることが予測される宛先画面信号の論理値を予測宛先画面信号として算出し、ステップＳ１１１に進む。
【００５９】
ステップＳ１１１において、制御部５は、制御部５が算出した予測宛先画面信号と、宛先画面検出手段３が、制御部５からの指示に応答して、実際に出力した宛先画面信号とを比較する。
【００６０】
ステップＳ１１３において、予測宛先画面信号と宛先画面信号との比較判断を行い、比較の結果、予測宛先画面信号と宛先画面信号とが一致しない場合、制御部５は宛先画面検出手段３に不具合が発生したため、意図しない信号が生成されたと判断して、故障発生信号を表示部６に通知しステップＳ１１５に進む。
【００６１】
ステップＳ１１３において、予測宛先画面信号と宛先画面信号との比較判断を行い、比較の結果、予測宛先画面信号と宛先画面信号とが一致した場合、制御部５は宛先画面検出手段３が正常に動作していると判断して、画面遷移検出手段４に第１フラップパネル１または第２フラップパネル２の回転の常時監視を指示する。
【００６２】
ステップＳ１１５において、表示部６は、制御部５から出力された故障発生信号に応答して、利用者に対して、装置に不具合が発生している旨の情報を伝える。
【００６３】
ステップＳ１１７において、画面遷移検出手段４から出力された画面遷移信号の論理がＯＮであった場合、制御部５は画面遷移信号に応答して宛先画面検出手段３に各々のフラップパネルの配置の検出を指示する。その指示を受けた宛先画面検出手段３は、各々のフラップパネルの配置を検出し、検出した各々のフラップパネルの配置を宛先画面信号として制御部５に出力し、ステップＳ１１９へ進む。
【００６４】
ステップＳ１１９において、制御部５は、宛先画面検出手段３から出力された宛先画面信号を、宛先画面情報としてメモリに記憶し、画面遷移検出手段４に第１フラップパネル１または第２フラップパネル２の回転の常時監視を指示する。宛先画面情報は、第１フラップパネル１と第２フラップパネル２の配置を特定するための情報として扱われる。
【００６５】
上述した一連の動作により、宛先画面検出手段３の不具合を自動的に診断し、不具合を検出した場合に、利用者に対して、装置に不具合が発生している旨の情報を伝える動作が確立する。これにより、装置に不具合が発生しているにもかかわらず情報送信作業を行ってしまうのを防止することができる。このような、装置の不具合による誤送信を防止することで、装置自体の信頼性が向上し、利用者に対する質の高い装置の提供が可能になる。
【００６６】
図６は、本実施の形態における操作パネルにおいて、指定された宛先への送信開始から操作パネルの不具合検出までを示すフローチャートである。図６を参照すると、本実施の形態における動作は、利用者が指定した宛先への送信を始めることで開始する。
【００６７】
ステップＳ２０１において、制御部５は、操作パネルに備えられたワンタッチキーが操作されたかどうかを監視する。監視の結果、ワンタッチキーの操作が発生していない場合はフローは戻り、監視を続ける。監視の結果、ワンタッチキーの操作が発生した場合、ステップＳ２０３へ進む。
【００６８】
ステップＳ２０３において、制御部５は、ワンタッチキーの操作に応答して宛先画面検出手段３に各々のフラップパネルの配置の検出を指示する。その指示を受けた宛先画面検出手段３は、各々のフラップパネルの配置を検出し、検出した各々のフラップパネルの配置を宛先画面信号として制御部５に出力し、ステップＳ２０５に進む。
【００６９】
ステップＳ２０５において、制御部５はさらに、メモリに記憶された宛先画面情報の読み出しを行いステップＳ２０７に進む。ステップＳ２０７において、宛先画面検出手段３が、制御部５からの指示に応答して、実際に出力された宛先画面信号と、メモリから読み出された宛先画面情報とを比較する。
【００７０】
ステップＳ２０９において、実際に出力された宛先画面信号とメモリから読み出された宛先画面情報との比較判断を行い、比較の結果、宛先画面信号と宛先画面情報とが一致しない場合、制御部５は、宛先画面信号が変化しているにもかかわらず宛先画面情報が更新されていないことから、画面遷移検出手段４に不具合が発生したため、意図しない信号が生成されたと判断して、故障発生信号を表示部６に通知しステップＳ２１１に進む。
【００７１】
ステップＳ２０９において、実際に出力された宛先画面信号とメモリから読み出された宛先画面情報との比較判断を行い、比較の結果、宛先画面信号と宛先画面情報とが一致した場合、制御部５は画面遷移検出手段４が正常に動作していると判断し、ステップＳ２１３へ進む。ステップＳ２１３において、制御部５は情報送信の実行を指示し、情報送信完了後した、フローは戻り、利用者が操作パネルに備えられたワンタッチキーを操作したかどうかの監視を続ける。
【００７２】
ステップＳ２１１において、表示部６は、制御部５から出力された故障発生信号に応答して、利用者に対して、装置に不具合が発生している旨の情報を伝える。
【００７３】
上述した一連の動作により、画面遷移検出手段４の不具合を自動的に診断し、不具合を検出した場合に、利用者に対して、装置に不具合が発生している旨の情報を伝える動作が確立する。これにより、装置に不具合が発生しているにもかかわらず情報送信作業を行ってしまうのを防止することができる。このような、装置の不具合による誤送信を防止することで、装置自体の信頼性が向上し、利用者に対する質の高い装置の提供が可能になる。
【図面の簡単な説明】
【００７４】
【図１】図１は、本実施の形態におけるファクシミリ装置の操作パネルの構成を示すブロック図である。
【図２】図２は、本実施の形態におけるファクシミリ装置の操作パネルの構造を示す投影図である。
【図３】図３は、画面遷移検出手段を回転軸方向に見た図である。
【図４】図４は、回転子検出スイッチが出力する回転子検出スイッチ信号の論理の流れを示す図である。
【図５】図５は、第１フラップパネルまたは第２フラップパネルの回転開始から操作パネルの不具合検出までを示すフローチャートである。
【図６】図６は、指定された宛先への送信開始から操作パネルの不具合検出までを示すフローチャートである。
【符号の説明】
【００７５】
１    第１フラップパネル
２    第２フラップパネル
３    宛先画面検出手段
４    画面遷移検出手段
５    制御部
６    表示部
７    第１フラップパネル検出スイッチ
８    第２フラップパネル検出スイッチ
９    第１フラップパネル回転子
１０  第２フラップパネル回転子
１１  回転子検出スイッチ
１２  回転軸
【図１】
2005217793.tif 000003
【図２】
2005217793.tif 000004
【図３】
2005217793.tif 000005
【図４】
2005217793.tif 000006
【図５】
2005217793.tif 000007
【図６】
2005217793.tif 000008